(57)【要約】【課題】従来、食品密封袋を開封した際は直線状にカットされて開けにくいので、その開閉が楽にできる段差状の開封口を形成した密封袋を提供する。【解決手段】表フィルム２と裏フィルム３の二枚で形成されるチャック付７き密封袋１において、表フィルム２はチャック７寄りに近くに開放縁６を有し、かつ裏フィルム３は一定の長さの延長部を形成するものとし、その延長部の中ほど折り返し部８の側部に切り口９を設けた上部を封止片１０とし、その角部に非接着部１１を有する封止片１０を、手で剥すことができる剥離接着部１２をもって開放縁６側を接着封止した密封袋１とする。【選択図】図１
2006176202.tif 000002
【特許請求の範囲】
【請求項１】
表フィルムと裏フィルムで形成される袋体内部に開閉自在のチャックを有する密封袋において、表フィルムはチャック寄りに近くに開放縁を有し、かつ裏フィルムは一定の長さの延長部を形成するものとし、その延長部の中ほどの折り返し部側部に切り口を設けた上部を封止片とする角部に、非接着部を有する封止片を前記開放縁側に折り返して、手で剥すことができる剥離接着部によって封止して成る構成を特徴とする食品用の密封袋。
【請求項２】
上記する延長部の折り返し部に設ける切り口に代えて、両側に至るミシン目を設けて成る請求項１に記載する食品用の密閉袋。
【発明の詳細な説明】
【技術分野】
【０００１】  本発明は、食品を封入した密封袋を開封した際に、開封口を段差に形成することができる密封袋に関する。
【背景技術】
【０００２】  従来より、健康補助食品のサプリメントや各種調味料、ココア、その他の食品を収納する密封袋として、切り取り開封口寄りに咬合型のチャックを備え、かつ、その端部を密封接着した袋がある。使用する際は前記したチャックと端部の間の端に設けた切り口から切り取って後にチャックを開けて中身を取り出し、再びチャックを閉じて繰り返して開閉することができる食品用の密封袋が提供されている。【０００３】  また、二枚の基材フィルムによる袋の内側に開閉自在の咬合具付き袋において、前記咬合具と開口側シールとの間に位置する一方の基材フィルムの内側に、該咬合具と平行な切断誘導部を形成するとともに、該咬合具付き袋の一方の側端側シール部外方における２本の切断誘導部と連続する帯状部材の端部を、前記一方の基材フィルムと一緒に切断して開封できる咬合具付き袋の技術がある。（特許文献１参照）
【特許文献１】特公平６−３３０９２号公報（第２−３頁）、（図１）
【発明の開示】
【発明が解決しようとする課題】
【０００４】  上記するような食品封入用の密封袋や技術があり、いずれも開封後でも再度密封保存できる袋である。しかしいずれも次のような不便や欠点があった。まず従来より提供されている密封袋は、開封口寄りの内部に雄雌二つが噛み合うチャックを備えた端部寄りの左右いずれかに設けた切り口から直線状に引き裂いたり、鋏みで切り取って開封する袋であるので、二枚のフイルムで形成される開封口は直線状に切り取られる。その結果、再度袋を開けようとする際は、切り口がほぼ直線状にカットされるとともに、二枚のフィルムが密着しているため、開封口を開ける際に簡単に開けられないなどの不便や欠点があった。【０００５】  さらに特公平６−３３０９２号公報による技術は、二枚の基材フィルムによる袋の内側に開閉自在の咬合具付き袋における、咬合具と開口側シールとの間に位置する一方の基材フィルムの内側に設けた咬合具と平行な切断誘導部を形成するとともに、該咬合具付き袋の一方の側端側シール部外方における二本の切断誘導部と連続する帯状部材の端部を、前記一方の基材フィルムと一緒に切断して開封できる咬合具付き袋であり、開放する際は、前記した一方の側端側シール部外方における二本の切断誘導部と連続する帯状部材の端部を、基材フィルムと一緒に切断して開封する袋である。しかしこの開封方法では、開封した後でも基材フィルム端部のシール部は残るため、中身を取り出す際に袋を傾けただけでは、切り残ったシール部に引っ掛かってスムーズに取り出せないため、その部分を裏に折り返して取り出すか、もしくは切り取った開口部より中身をつまみ出すしかないなどの不便や欠点がある咬合具付き袋の技術であった。
【課題を解決するための手段】
【０００６】  本発明は、上記するような不便や欠点を解消するために成されたものであって、請求項１においては、表フィルムと裏フィルムの二枚で形成される袋体内部に開閉自在のチャックを有する密封袋において、表フィルムはチャック寄り近くに開放縁を有し、かつ裏フィは一定の長さの延長部を形成するとともに、その延長部の中ほどの折り返し部の側部に切り口を設け、その上部を封止片とする角部を非接着部とする封止片を折り返して、剥がすことができる剥離接着部で封止することで、切り取った開封口を段差状に形成する食品用の密封袋とする。【０００７】  請求項２においては、上記する延長部の折り返し部に設ける切り口に代えて、左右に至るミシン目を設けることで、同様に段差状の開封口を形成する。
【発明の効果】
【０００８】  この発明における食品用の密封袋は、チャックを備えた開封側の裏フィルムを延長させた中ほど折り返し部に、切り口またはミシン目を設けた上部に非接着部を有する封止片を形成し、その封止片が手で剥がせる剥離接着部で封止する構成であるので、開封する際は封止片の角部をつまんで引き剥すと、切り口またはミシン目より封止片が切り離されるとともに、開封口を段差に形成することができる。したがつて中身を取り出す際に開封口が密着していても容易に開くことができる。さらに裏ファイル側は少し延長して皿状を成すので、取り出す際に食品の数を確認しながら取り出せるなど、従来には見られない機能的にして扱いやすい密封袋を提供することができる。
【発明を実施するための最良の形態】
【０００９】  何回でも開閉して使用する密封袋において、切り取った開封口が簡単に開けられるように、開封口を段差に形成できる食品用密封袋とする。
【実施例１】
【００１０】  本発明の実施例１の密封袋を、図１に示す一部剥離した斜視図と図２に示す開封部の拡大縦断面図、図３の開口部を示す拡大展開図、図４の封止片を切り取った参考図を示す。
実施例１の密封袋１は、合成樹脂素材による表フィルム２の対向側に、上部が一定の長さ延長する裏フィルム３を位置した左右及び下部を、強固に溶着して剥せない非剥離接着部４，４，４による袋体５を形成し、かつ、その袋体５の開放縁６寄り内部に、雄雌一組として着脱自在のチャック７を設けるとともに、前記裏フィルム３の延長面端部と、表フィルム２のチャック７部位までの中ほどを折り返し部８とし、その折り返し部８の左右に三角状の切り口９，９を設けた上部を封止片１０とする。さらに、その角部に非接着部１２を有する封止片１０を折り返し、手で容易に引き剥すことが可能な剥離接着部１２をもって開放縁６部位を接着封止して成る密封袋１を構成する。【００１１】  実施例１の密封袋１におけるチャック７付き袋体５の開放縁６は、裏フィルム３を延長させた封止片１０を折り返して封止するが、その接着手段は、プリンや豆腐などを収めた容器の蓋などに採用されているように、手で容易に剥せて、かつ再接着しないタイプの剥離接着部１２をもって、開放縁６側に掛け渡すようにして接着封止するとともに、封止片１０の両角は接着剤の無い非接着部１１であるので、食品Ａを収めた袋を開封する際は、図１のように前記非接着部１１の角部をつまんで引き剥すと、折り返し部８の切り口９よりほぼ直線状に切れ目が入って封止片１０が切り離されるため、図４に示すように、表フィルム２と裏フィルム３による開封口が段差状に形成される。したがって開封口が密着していても容易に開封することができる密閉袋１を形成する。尚、折り返し部８の端部に設ける切り口９は両側に設けているが、片側の一方のみでも差し支えない。
【実施例２】
【００１２】  実施例２の密封袋を、図５に示す開封部の拡大展開図で説明する。
本実施例における密封袋１の基本構成は、前記実施例１と同様に非剥離接着部４による袋体５の開放縁６寄りの内部にチャック７を備え、かつ裏ファイル３の上部を延長した中ほど折り返し部８には、左右端部に至るミシン目１３を設け、そのミシン目１３の上部を封止片１０とする角部を非接着部１１，１１とする封止片１０を折り返して、剥離接着部１２をもって接着封止する密封袋１を構成する。【００１３】  実施例２における密封袋は１は前記実施例１と同様の基本構成であるが、封止片１０の折り返し部８には、左右端部に至るミシン目１３を設けているので、開封する際は封止片１０の角部をつまんで引き剥すと、前記ミシン目１３部より封止片１０が直線状に切り離されて段差状の開封口を形成できる。【００１４】  本発明による食品用の密封袋１は、実施例１及び実施例２いずれもチャック７上部の開放縁６部位を、延長させた裏フィルム３端部の封止片１０を折り返して剥離接着部１２による封止接着しているが、実施例１タイプの場合は、切り口９部を除く封止片１０の左右及び端部側のみが剥離接着部１２により封止される方法であっても差し支えない。
【図面の簡単な説明】
【００１５】
【図１】本発明による実施例１の密封袋を示す一部剥離した斜視図である。
【図２】実施例１の密封袋の開封要部を示す拡大縦断面図である。
【図３】実施例１の密封袋の開封部を示す拡大展開図である。
【図４】実施例１の封止片を切り取った状態の参考図である。
【図５】実施例２の密封袋の開封部の要部を示す拡大展開図である。
【符号の説明】
【００１６】  １  密封袋
２  表フィルム
３  裏フィルム
４  非剥離接着部
５  袋体
６  開放縁
７  チャック
８  折り返し部
９  切り口
１０  封止片
１１  非接着部
１２  剥離接着部
１３  ミシン目
Ａ  食品
【図１】
2006176202.tif 000003
【図２】
2006176202.tif 000004
【図３】
2006176202.tif 000005
【図４】
2006176202.tif 000006
【図５】
2006176202.tif 000007